(57)【特許請求の範囲】
【請求項１】
電源回路及び充電池部を内蔵するパソコン本体に、パソコン回路とは独立して構成され後付け可能に取り付けられた、
機械的操作により施錠・開錠可能な鍵と、
前記充電池部からの電源供給路に設けられ、前記電源回路から前記パソコン本体への電源供給が切断された状態及び前記鍵の施錠状態を検出することによりＯＮ状態になるスイッチ回路と、
前記スイッチ回路がＯＮ状態になることで前記充電池部から電源が供給され鳴動するブザーと
を有する盗難防止装置。
【請求項２】
前記スイッチ回路は、
前記電源回路から前記充電池部への入力電源の切断を検出する入力電源切断検出回路の入力電源切断検出によりＯＮ状態になる第１のスイッチと、前記鍵の施錠によりＯＮ状態になる第２のスイッチとを有し、前記第１のスイッチ及び前記第２のスイッチがＯＮ状態になることで、ＯＮ状態になる請求項１に記載の盗難防止装置。
【請求項３】
前記鍵の施錠により前記パソコン本体から前記充電池部の取り外しを防止する施錠部を有する請求項１または２に記載の盗難防止装置。
【請求項４】
前記スイッチ回路及び前記ブザーを、前記電源回路及び前記充電池部の間に挿入配置した請求項１から３のいずれかに記載の盗難防止装置。
【請求項５】
前記スイッチ回路及び前記ブザーを、前記パソコン本体に装着されるバッテリーパックに内蔵した請求項１から３のいずれかに記載の盗難防止装置。
【発明の詳細な説明】
【０００１】
【発明の属する技術分野】
本発明は、盗難防止装置に関し、特に、電源切断状態と施錠状態とを検知できる盗難防止装置に関する
【０００２】
【従来の技術】
従来の盗難防止装置の一例として、特開平０６−０７５６５２号公報に記載の盗難防止方法がある。この方法は、フックでの盗難防止を目的とし、外部電源からの電力供給の有無を監視し、指示入力手段が作動許可指示を入力した後、外部電源からの電力供給の遮断が検出された場合、警報手段が作動するように起動手段を制御する制御手段を有するものである。
【０００３】
【発明の解決しようとする課題】
上述した特開平０６−０７５６５２号公報に記載の盗難防止方法では、以下のような問題を抱えている。
【０００４】
まず、メインバッテリーの取り外しに対処するためにサブバッテリーを使用する構成を必要とし、また、盗難防止モードにする操作がパソコン本体のコマンドにより設定する為、盗難防止回路とパソコン本体との通信する回路（専用機能）を必要としており、構造上複雑で高価になるという問題があった。
【０００５】
また、構造が複雑，高価ゆえに、既に市場に出回っているパソコン等への実現は不可能であるという問題があった。
【０００６】
そこで、本発明の目的は、電源切断状態と鍵の施錠状態とを検知できる回路を備えた構造上簡単な盗難防止装置を提供することにある。
【０００７】
【課題を解決するための手段】
上記目的を達成するために、本発明の盗難防止装置は、電源回路及び充電池部を内蔵するパソコン本体に、パソコン回路とは独立して構成され後付け可能に取り付けられた、機械的操作により施錠・開錠可能な鍵と、前記充電池部からの電源供給路に設けられ、前記電源回路から前記パソコン本体への電源供給が切断された状態及び前記鍵の施錠状態を検出することによりＯＮ状態になるスイッチ回路と、前記スイッチ回路がＯＮ状態になることで前記充電池部から電源が供給され鳴動するブザーとを有する。
【０００８】
また、前記スイッチ回路は、前記電源回路から前記充電池部への入力電源の切断を検出する入力電源切断検出回路の入力電源切断検出によりＯＮ状態になる第１のスイッチと、前記鍵の施錠によりＯＮ状態になる第２のスイッチとからなり、前記第１のスイッチ及び前記第２のスイッチがＯＮ状態になることで、ＯＮ状態になるのが好ましい。
【０００９】
さらに、前記鍵の施錠により前記パソコン本体から前記充電池部の取り外しを防止する施錠部を有するのが好ましい。
【００１０】
またさらに、前記スイッチ回路及び前記ブザーを、前記電源回路及び前記充電池部の間に回路要素として挿入配置するのが好ましい。
【００１２】
さらに、バッテリパックに包まれ、取り外し可能であるのが好ましい。
【００１３】
【発明の実施の形態】
次に図面を参照して、本発明の実施の形態について詳細に説明する。
【００１４】
図１は、本発明の盗難防止装置の実施の形態の外観を示す正面図である。この装置は、盗難防止用の鍵８，充電池部２を手前に配置し、この盗難防止鍵８を施錠した状態で盗難時、パソコンへの電源供給が切断されたらブザーが内蔵充電池を電源として鳴動するものである。さらに、本装置は、図１に示すように、外観を損なわない構造としている。
【００１５】
次に、図２は、本発明の盗難防止装置の実施の形態の構成を示すブロック図である。本発明の盗難防止装置１は、入力電源切断検出回路６，スイッチ回路７，鍵８，ブザー９よりなり、本発明の盗難防止装置１の特徴については、パソコンの通常使用状態では、ＡＣアダプタ３，電源回路４は充電池部２に接続されて電源供給を行っている。パソコン本体の盗難は、電源供給の切断又はＡＣアダプタ３を切り離さないと出来ない為、本発明ではそこに着目し、電源切断状態と鍵８の施錠状態とを検知できる回路を備えた盗難防止装置とした。
【００１６】
【実施例】
次に、図面を参照して、本発明の実施例について詳細に説明する。
【００１７】
まず、図２を参照して、本発明の盗難防止装置の実施例の構成について説明する。本発明の盗難防止装置１は、ＡＣアダプタ３を経由して得られる商用電源を整流する電源回路４と充電池部２の間に挿入され、かつパソコン本体内に実装されて動作する。この盗難防止装置１は、電源回路４から充電池部２への入力電源の切断を検出する入力電源切断検出回路６と、入力電源切断検出回路６の入力電源切断検出によりＯＮ状態となる第１のスイッチと、鍵８の施錠によりＯＮ状態になる第２のスイッチとからなるスイッチ回路７と、充電池部２の電源によりスイッチ回路７の両スイッチがＯＮになることで鳴動するブザー９と、施錠することにより充電池部２の取り外しを防止しかつスイッチ回路７のスイッチをＯＮにする鍵８と、鍵８の施錠で充電池部２の取り外しを防止する施錠部１０とで構成される。
【００１８】
図３は、本発明の盗難防止装置の実施例における実現回路例を示す回路図である。入力電源切断検出回路６は、電源回路４の出力電位を検出して動作し、スイッチ回路７は鍵８と連動する第２のスイッチと、入力電源切断検出回路６に連動する第１のスイッチからなり、ブザー９はスイッチ回路７のＯＮにより充電池部２の電源で鳴動する。
【００１９】
次に、図２，図３を参照して、本発明の盗難防止装置の実施例の動作について説明する。パソコンの通常の使用状態では、ＡＣアダプタ３を商用電源１００Ｖに接続し、電源回路４で整流されて充電池部２に供給している。この状態では、パソコン本体の電源受電端子には電源回路４の電位があり、入力電源切断検出回路６はこれを検出してスイッチ回路７をＯＦＦ状態にする。従って鍵８の施錠状態に係わらずブザー９は鳴動することは無い。又、ノートパソコンの特徴として、ＡＣアダプタ３を切り離して充電池部２を電源として使用する場合がある、この時も鍵８が施錠しない状態で使用するとブザー９は鳴動することはない。
【００２０】
次に、長時間離席又は夜間デスク上に置いたままオフィスを退社した状態では盗難のおそれが存在する。その対処として鍵８を施錠しておき、これにより盗難時はブザーが鳴動するようになる。即ち、鍵８を施錠状態にすることでスイッチ回路７の一方のスイッチがＯＮ状態になり、盗難とはパソコン本体が持ち去られることであり、ＡＣアダプタ３の取り外し又は商用電源の切断で充電池部２への電源供給が切断される。これを入力電源切断検出回路６が検出するとスイッチ回路７の他方のスイッチがＯＮ状態になる。２つのスイッチがＯＮ状態となると、スイッチ回路７が導通状態でブザー９に充電池部２より電源供給が行なわれ鳴動を始める。尚、充電池部２の取り外しでブザー９の鳴動は停止できるが、鍵８と連動して施錠部１０により充電池部２の取り外しを防止している。
【００２１】
次に、本発明の盗難防止装置の他の実施例について説明する。
【００２２】
本発明はパソコン本体に内蔵される為、単純かつ安価な回路で構成されている。拡張例としては既に市場に出ているパソコン等にも対応を可能とするため、本発明の盗難防止装置を内蔵したバッテリーパックを作成し、既存パソコンの市場への対応を可能としている。
【００２３】
【発明の効果】
以上説明したように、従来市販されている盗難防止器具はチェーン等であり、パソコンそのものの外観を著しく損なうものであったが、本発明はバッテリー収納部に鍵を付けて施錠するもので外観を損なうことがない。従って、本発明の盗難防止装置により、パソコンの外観を損なうことなく実現できるという効果を奏する。
【００２４】
また、従来例では、サブバッテリーのような別の電源を必要としていたが、本発明では鍵をバッテリー収納部の施錠と連動させて内蔵バッテリーの取り外しを不可状態にし、メインバッテリーのみで電源供給を可能としたものである。従って、特別な警報用電源を必要としないという効果を奏する。
【００２５】
さらに、従来の提案発明はパソコンに最初から組み込みを設計する必要がある構成であり、本発明は外観上初期設計時に組み込むのが望ましいが、既存パソコンにもバッテリー部分に本発明装置を付加することで可能としている。従って、パソコン回路と独立したものであり、構造設計により既存パソコンにも取り付け可能であるという効果を奏する。
【００２６】
またさらに、本発明の盗難防止装置の回路は単純かつ安価で作成できるという効果を奏する。
【図面の簡単な説明】
【図１】本発明の実施の形態の外観を示す正面図である。
【図２】本発明の実施の形態の構成を示すブロック図である。
【図３】本発明の実施の形態において使用する回路図である。
【符号の説明】
１  盗難防止装置
２  充電池部
３  ＡＣアダプタ
４  電源回路
５  パソコン回路
６  入力電源切断検出回路
７  スイッチ回路
８  鍵
９  ブザー
１０  施錠部
【図１】
0003597082.tif 000002
【図２】
0003597082.tif 000003
【図３】
0003597082.tif 000004